(57)【要約】      （修正有）【課題】宝石類を、セラミックあるいは超硬金属製の基材に、確実かつ容易に保持固定することができるようにした宝石類保持構造体を提供する。【解決手段】宝石類５を宝石類保持筒体３の大径部３ａにおける内部に嵌着し、宝石類保持筒体３の小径の凹部３ｂにおける外側に弾性リング４を嵌入する。この状態で宝石類保持筒体３を基材１の保持凹部２内へ入れる。これにより弾性リング４が、保持凹部２の内側面と宝石類保持筒体３の外側面との間で両側面にそれぞれ弾接し、宝石類を、上部が基材１外に露出した状態で、基材１に保持固定することができる。【選択図】図１
0003136791.tif 000002
【実用新案登録請求の範囲】
【請求項１】
宝石類の下側部に宝石類保持筒体を嵌着し、
前記宝石類が外部に露出した状態で前記宝石類保持筒体を、セラミックあるいは超硬金属からなる基材に設けた保持凹部に挿入し、
前記保持凹部の内側面と前記宝石類保持筒体の外側面との間に、前記両側面にそれぞれ弾接する弾性リングを介在させたことを特徴とする宝石類保持構造体。
【請求項２】
前記弾性リングが一部を切り欠いた構造であることを特徴とする請求項１記載の宝石類保持構造体。
【請求項３】
前記弾性リングを前記宝石類保持筒体の側部に形成した凹部に配したことを特徴とする請求項１または２記載の宝石類保持構造体。
【請求項４】
請求項１〜３いずれか１項記載の宝石類保持構造体をバンドの駒に用いたことを特徴とする時計バンド。
【請求項５】
請求項１〜３いずれか１項記載の宝石類保持構造体を外装ケースに用いたことを特徴とする腕時計。
【請求項６】
請求項１〜３いずれか１項記載の宝石類保持構造体を少なくとも一部に設けたことを特徴とする装身具。
【考案の詳細な説明】
【技術分野】
【０００１】  本考案は、セラミックあるいは超硬金属に宝石類を保持する宝石類保持構造体、および、その宝石類保持構造体を用いた時計バンド，腕時計，装身具に関する。
【背景技術】
【０００２】  従来、宝石類を基材に装着固定するには、通常、基材に爪部を設け、この爪部を宝石類と係合するように変形して、基材に宝石類を保持固定したり、あるいは、特許文献１に記載されているように、宝石類を、介在部材を介して基材にカシメ固定したりする構造が採用されている。【０００３】  また、特許文献２に記載されているように、宝石類を筒状体などにて保持し、保持した状態で一部を折り曲げるなどして、宝石類を保持した筒状体などを基材の取付け孔に嵌めて圧着固定する構造も知られている。【０００４】  特許文献２に記載の構造では特許文献１に記載の構造に比べて、保持が確実ではあるが、部品数が多く、部品の構造、その加工が複雑になり、小さな宝石類あるいは基材には、そのまま適用することには課題がある。【０００５】  また、近年、セラミックあるいは超硬金属を、宝石類を保持する基材として使用する要望が大きくなってきている。
【特許文献１】実公平１−２２５１０号公報
【特許文献２】特開２００３−８８４０８号公報
【考案の開示】
【考案が解決しようとする課題】
【０００６】  セラミックあるいは超硬金属の装身具への利用すること、特に、高級品とされる時計などの技術分野にて、バンドあるいは時計の側などにセラミックあるいは超硬金属を用いることは、これらセラミックや超硬金属が有する独特の質感、あるいは錆びにくく、劣化しにくい特性が、高級品としての要求に合致したものとなる。【０００７】  ところが、セラミックあるいは超硬金属を宝石類保持構造体の基材として用いることの技術的課題の一つに、その加工性の問題がある。すなわち、セラミックあるいは超硬金属は細かな加工がしにくいということである。外形成型されたセラミックあるいは超硬金属に対して、クラックなどを生ぜずに小さな孔やエッジの付いた溝などを加工することは容易ではない。【０００８】  例えば、時計バンドの駒は、一般装身具の中でも個々のパーツが小さく、小さくなればなる程、保持部分の加工が難しく、また小型の宝石類を保持させようとすれば、さらに保持が容易でなくなる。【０００９】  そこで本考案は、宝石類をセラミックあるいは超硬金属からなる基材に対して、簡素化された構成で、確実かつ容易に保持固定することができるようにした宝石類保持構造体、および、その宝石類保持構造体を用いた時計バンドおよび腕時計ならびに装身具を提供することを目的とする。
【課題を解決するための手段】
【００１０】  前記目的に鑑み、本考案の宝石類保持構造体は、宝石類の下側部に宝石類保持筒体を嵌着し、前記宝石類が外部に露出した状態で前記宝石類保持筒体を、セラミックあるいは超硬金属からなる基材に設けた保持凹部に挿入し、前記保持凹部の内側面と前記宝石類保持筒体の外側面との間に、前記両側面にそれぞれ弾接する弾性リングを介在させたことを特徴とする。【００１１】  また、前記弾性リングが一部を切り欠いた構造であることを特徴とする。【００１２】  また、前記弾性リングを前記宝石類保持筒体の側部に形成した凹部に配したことを特徴とする。【００１３】  さらに、時計バンドとして、前記宝石類保持構造体をバンドの駒に用いたことを特徴とする。【００１４】  また、腕時計として、前記宝石類保持構造体を外装ケースに用いたことを特徴とする。【００１５】  また、装身具として、前記宝石類保持構造体を少なくとも一部に設けたことを特徴とする。
【考案の効果】
【００１６】  本考案によれば、セラミックあるいは超硬金属からなる基材には加工が簡単な単純な保持凹部を設けておき、この保持凹部に、宝石類を宝石類保持筒体に嵌着させた状態で弾性リングと共に挿入することにより、宝石類が弾性リングの弾性力にて基材に対して保持される。このため、セラミックあるいは超硬金属からなる基材に対して、宝石類が簡単かつ確実に装着され、各種の装飾用の部品として提供することができる。【００１７】  このようなセラミックあるいは超硬金属が基材となる本宝石類保持構造体は、特に、ユーザの腕などに直接的に触れる時計バンド，時計の側，装身具に実施して効果が顕著である。
【考案を実施するための最良の形態】
【００１８】  以下に、本考案の好適な実施の形態を図面に基づいて説明する。【００１９】  図１は本考案の好適な実施の形態である宝石類保持構造体の断面図である。
図１において、１はセラミックあるいは超硬金属からなる基材、２は基材１の中央部に形成された保持凹部、３は、セラミックあるいは超硬金属よりも低い硬度でかつ加工のし易い、例えばステンレスなどの金属材からなる宝石類保持筒体、４は、保持凹部２の内側面と宝石類保持筒体３の外側面との間で両側面にそれぞれ弾接し、上下端が外側に突出し、かつ中央部が内側に凸状の形状をなす板バネ材からなる弾性リング、５は宝石類保持筒体３に嵌着された宝石類である。【００２０】  前記宝石類保持筒体３は、中空円筒状のものであって、上部が大径部３ａで、下部が小径の凹部３ｂとなっており、宝石類５の下側部が大径部３ａに嵌着され、かつ大径部３ａの上周部を塑性変形させて宝石類５を係止し、さらに弾性リング４が保持凹部２内において小径の凹部３ｂ部分に配設されている。【００２１】  前記弾性リング４は、平面視Ｃ状をなし、一部に切欠き部４ａを有する形状のものである。【００２２】  図２，図３は本宝石類保持構造体の組立を説明するための分解斜視図であって、図２は本宝石類保持構造体の構成部材全体を示す分解斜視図、図３は組立途中における本宝石類保持構造体の分解斜視図である。【００２３】  図２，図３において、まず、宝石類５を、上部が外部に露出し、かつ下側部が宝石類保持筒体３の大径部３ａ内部に嵌着するように挿入し、さらに宝石類保持筒体３の小径の凹部３ｂにおける外側に弾性リング４を嵌入して宝石類セット体とする。その後、この宝石類セット体を基材１の保持凹部２内へ入れる。【００２４】  前記宝石類セット体を基材１の保持凹部２内へ入れた状態では、図１に示すように、弾性リング４の外形寸法が、保持凹部２の内側面と宝石類保持筒体３の外側面との間で、両側面に対してリング上下端部とリング中央部とが、それぞれ弾接するようになっているため、宝石類セット体が基材１に保持されることになる。【００２５】  図４は組立完了後の本宝石類保持構造体を示す斜視図である。【００２６】  なお、前記各部材における要素部における数あるいは形状などは、前記実施の形態の構成に限定されない。【００２７】  また、宝石類保持構造体の使用用途についても、宝石類を具備した各種宝飾品，装身具は無論のこと、時計バンドにおけるバンドの駒、あるいは腕時計の外装ケースとして用いることもできる。【００２８】  上述したように、本実施の形態によれば、セラミックあるいは超硬金属からなる基材１に、加工が簡単な単純な形状の保持凹部２を形成加工するようにし、宝石類５を宝石類保持筒体３に嵌着させた状態で弾性リング４と共に保持凹部２に挿入することにより、宝石類５が弾性リング４の弾性力にて基材１に対し保持されることになり、宝石類保持構造体が完成する。【００２９】  このように、セラミックあるいは超硬金属からなる基材１に対して、宝石類を簡単かつ確実に装着することができるため、コスト的に有利で、かつ装飾性に優れた部品として提供することができる。
【産業上の利用可能性】
【００３０】  本考案は、装身具などにおいて、イミテーションを含む宝石類をセラミックあるいは超硬金属に対して容易に保持させることができることから、身体に着ける各種の用具に適用され、また多様な意匠展開を図ることも可能である。
【図面の簡単な説明】
【００３１】
【図１】本考案の好適な実施の形態である宝石類保持構造体の断面図である。
【図２】本実施の形態における宝石類保持構造体の組立を説明するための分解斜視図である。
【図３】本実施の形態における宝石類保持構造体の組立を説明するための分解斜視図である。
【図４】組立完了後の本実施の形態における宝石類保持構造体を示す斜視図である。
【符号の説明】
【００３２】１  基材
２  保持凹部
３  宝石類保持筒体
３ａ  宝石類保持筒体の大径部
３ｂ  宝石類保持筒体の小径の凹部
４  弾性リング
４ａ  切欠き部
５  宝石類
【図１】
0003136791.tif 000003
【図２】
0003136791.tif 000004
【図３】
0003136791.tif 000005
【図４】
0003136791.tif 000006